(57)【要約】【課題】  ローカルに存在する最適設定情報の展開を、簡便で安価かつ日常的に実施できるようにして、携帯通信端末機能のフル活用度アップ、セキュリティ強化徹底、保守作業削減を可能とする。【解決手段】  近距離無線通信方式を含む複数無線通信方式対応の携帯通信端末間における情報反映システムにおいて、予め無線通信方式のための情報設定がなされた情報反映端末と、この情報反映端末の設定情報を反映する情報反映先端末とを含み、近距離無線通信方式により反映元端末からの情報を反映先端末へ送信して設定する。【選択図】      図２
2011254492.tif 000002
【特許請求の範囲】
【請求項１】
近距離無線通信方式を含む複数無線通信方式対応の携帯通信端末間における情報反映システムであって、
第一の端末は、
探索条件付の探索メッセージを前記近距離無線通信方式によりブロードキャストする手段と、
前記ブロードキャストによる探索メッセージを受信した端末のうち前記探索条件に一致した第二の端末から前記探索条件に一致した旨を受信して、前記第二の端末に対して当該端末における設定情報の取得を要求する手段と、
前記第二の端末からの前記設定情報の取得に応答して、この取得した設定情報を自端末へ反映する手段とを含むことを特徴とする情報反映システム。
【請求項２】
前記近距離無線通信方式はアドホック通信方式であることを特徴とする請求項１に記載の情報反映システム。
【請求項３】
前記設定情報は、ＩＰ系の設定情報や複数ベアラ間ローミングに関する設定情報であることを特徴とする請求項１または２に記載の情報反映システム。
【請求項４】
近距離無線通信方式を含む複数無線通信方式対応の携帯通信端末間における情報反映方法であって、
第一の端末において、
探索条件付の探索メッセージを前記近距離無線通信方式によりブロードキャストするステップと、
前記ブロードキャストによる探索メッセージを受信した端末のうち前記探索条件に一致した第二の端末から前記探索条件に一致した旨を受信して、前記第二の端末に対して当該端末における設定情報の取得を要求するステップと、
前記第二の端末からの前記設定情報の取得に応答して、この取得した設定情報を自端末へ反映するステップとを含むことを特徴とする情報反映方法。
【請求項５】
前記近距離無線通信方式はアドホック通信方式であることを特徴とする請求項４に記載の情報反映方法。
【請求項６】
前記設定情報は、ＩＰ系の設定情報や複数ベアラ間ローミングに関する設定情報であることを特徴とする請求項４または５に記載の情報反映方法。
【請求項７】
近距離無線通信方式を含む複数無線通信方式対応の携帯通信端末間における情報反映システムにおける端末であって、
探索条件付の探索メッセージを前記近距離無線通信方式によりブロードキャストする手段と、
前記ブロードキャストによる探索メッセージを受信した端末のうち前記探索条件に一致した他の端末から前記探索条件に一致した旨を受信して、前記他の端末に対して当該端末における設定情報の取得を要求する手段と、
前記他の端末からの前記設定情報の取得に応答して、この取得した設定情報を自端末へ反映する手段とを含むことを特徴とする端末。
【請求項８】
近距離無線通信方式を含む複数無線通信方式対応の携帯通信端末間における情報反映システムにおける端末の動作をコンピュータに実行させるためのプログラムであって、
探索条件付の探索メッセージを前記近距離無線通信方式によりブロードキャストする処理と、
前記ブロードキャストによる探索メッセージを受信した端末のうち前記探索条件に一致した他の端末から前記探索条件に一致した旨を受信して、前記他の端末に対して当該端末における設定情報の取得を要求する処理と、
前記他の端末からの前記設定情報の取得に応答して、この取得した設定情報を自端末へ反映する処理とを含むことを特徴とするプログラム。
【発明の詳細な説明】
【技術分野】
【０００１】
本発明は携帯通信端末の情報反映システム及びその方法並びにそれに用いる携帯通信端末に関し、特に無線ＬＡＮ機能を包含するような複数ベアラ（複数無線通信方式）対応の複合的な携帯通信端末において、益々複雑になってきている各端末の設定情報の、特に小エリア別の初期設定やチューニングの作業を、簡単に、ローカルに存在する最適設定情報の展開を行うようにした携帯通信端末の情報反映方式に関するものである。
【背景技術】
【０００２】
従来、無線ＬＡＮ機能を包含するような複数ベアラ対応、すなわち複数無線通信方式対応の複合的な携帯通信端末において、各端末の設定情報の、特に小エリア別の初期設定や環境変化によるチューニング作業は、利用開始時の一括設定後は、利用者個人に委ねるしかなかった。しかし、特に無線ＬＡＮ機能の包含により、ＩＰ（Ｉｎｔｅｒｎｅｔ  Ｐｒｏｔｏｃｏｌ）系の設定情報やベアラ間ローミングに関する設定情報が追加となり、設定情報そのものが増大してきている。
【０００３】
また、非常にデリケートな無線特性に起因し、利用者全体一律での設定では対応できず、小エリア単位での微調整が必要になってくる。また、昨今ますます重要になってきているセキュリティ対策系の設定は、専門知識がないと選択肢から選択できないものが多い。更に、携帯通信端末が益々小型化されてきていることもあり、設定時に使用するマンマシンインタフェース（ＭＭＩ）の分かりにくさもネックになってきている。これらの環境の中、設定情報を一台一台手入力、ＰＢＸやサーバからの一括設定などでは対応しきれないのが現状である。なお、参考特許文献として下記のものがある。
【先行技術文献】
【特許文献】
【０００４】
【特許文献１】特開２００４−２１００９６号公報
【特許文献２】特開２００５−０６５０１８号公報
【特許文献３】特開２００５−０９４６００号公報
【特許文献４】特開２００５−２５４６３９号公報
【特許文献５】特開２００５−２７８０４４号公報
【発明の概要】
【発明が解決しようとする課題】
【０００５】
本発明の目的は、各端末の設定情報の、特に小エリア別の初期設定やチューニングの作業を、ＰＢＸ、サーバ、アクセスポイント（ＡＰ）といったシステムを介することなく通信可能な「アドホック通信」を使うことによって、ローカルに存在する最適設定情報の展開を、簡便で安価かつ日常的に実施できるようにすることにより、携帯通信端末機能のフル活用度アップ、セキュリティ強化徹底、保守作業削減を可能とする携帯通信端末の情報反映システム及びその方法並びにそれに用いる携帯通信端末を提供することである。
【課題を解決するための手段】
【０００６】
本発明による情報反映システムは、
近距離無線通信方式を含む複数無線通信方式対応の携帯通信端末間における情報反映システムであって、
第一の端末は、
探索条件付の探索メッセージを前記近距離無線通信方式によりブロードキャストする手段と、
前記ブロードキャストによる探索メッセージを受信した端末のうち前記探索条件に一致した第二の端末から前記探索条件に一致した旨を受信して、前記第二の端末に対して当該端末における設定情報の取得を要求する手段と、
前記第二の端末からの前記設定情報の取得に応答して、この取得した設定情報を自端末へ反映する手段とを含むことを特徴とする。
【０００７】
本発明による情報反映方法は、
近距離無線通信方式を含む複数無線通信方式対応の携帯通信端末間における情報反映方法であって、
第一の端末において、
探索条件付の探索メッセージを前記近距離無線通信方式によりブロードキャストするステップと、
前記ブロードキャストによる探索メッセージを受信した端末のうち前記探索条件に一致した第二の端末から前記探索条件に一致した旨を受信して、前記第二の端末に対して当該端末における設定情報の取得を要求するステップと、
前記第二の端末からの前記設定情報の取得に応答して、この取得した設定情報を自端末へ反映するステップとを含むことを特徴とする。
【０００８】
本発明による端末は、
近距離無線通信方式を含む複数無線通信方式対応の携帯通信端末間における情報反映システムにおける端末であって、
探索条件付の探索メッセージを前記近距離無線通信方式によりブロードキャストする手段と、
前記ブロードキャストによる探索メッセージを受信した端末のうち前記探索条件に一致した他の端末から前記探索条件に一致した旨を受信して、前記他の端末に対して当該端末における設定情報の取得を要求する手段と、
前記他の端末からの前記設定情報の取得に応答して、この取得した設定情報を自端末へ反映する手段とを含むことを特徴とする。
【０００９】
本発明によるプログラムは、
近距離無線通信方式を含む複数無線通信方式対応の携帯通信端末間における情報反映システムにおける端末の動作をコンピュータに実行させるためのプログラムであって、
探索条件付の探索メッセージを前記近距離無線通信方式によりブロードキャストする処理と、
前記ブロードキャストによる探索メッセージを受信した端末のうち前記探索条件に一致した他の端末から前記探索条件に一致した旨を受信して、前記他の端末に対して当該端末における設定情報の取得を要求する処理と、
前記他の端末からの前記設定情報の取得に応答して、この取得した設定情報を自端末へ反映する処理とを含むことを特徴とする。
【発明の効果】
【００１０】
本発明による第１の効果は、ローカルに存在する最適設定情報の展開を、特別な装置を用意することなく、携帯通信端末同士で簡便で安価かつ日常的に実施できることである。その理由は、ＰＢＸ、サーバ、ＡＰといったシステムを介さずに携帯通信端末間だけで手軽に利用可能なアドホック通信を利用し、端末一台一台への設定情報を手入力することなく実現すことができるためである。
【００１１】
また、本発明による第２の効果は、仮に、ローカルに存在する最適設定情報がどの端末に存在するか不明であっても、その探索を行うことができることである。その理由は、ローカルに存在する最適設定情報がどの端末に存在するかを探索する手段を具備しているためである。
【図面の簡単な説明】
【００１２】
【図１】本発明の実施の形態を示す携帯通信端末の機能ブロック図である。
【図２】本発明の一実施の形態を示す動作フロー図である。
【図３】本発明の他の実施の形態を示す動作フロー図である。
【発明を実施するための形態】
【００１３】
以下に、図面を参照しつつ本発明の実施の形態について詳細に説明する。図１は本発明の実施の形態における携帯通信端末の機能ブロック図であり、携帯通信端末１のアプリケーション部２には、ＭＭＩ部６と、モード管理部７と、探索条件判定処理部８と、探索条件編集処理部９と、設定情報比較処理部１０と、設定情報送受信処理部１１が設けられている。また、通信部３には、携帯電話通信部１２と、無線ＬＡＮ通信部１３と、アドホック通信部１４とが設けられている。また、自端末設定情報Ｉ／Ｏ処理部４と、設定情報格納部５とが、アドホック通信による携帯通信端末の設定情報保守システムに設けられている。
【００１４】
図１を参照して詳述すると、本発明の第１の実施の形態は、各携帯情報端末に、図１の構成要素を共通的に具備する場合の例である。携帯通信端末１のアプリケーション部２における各機能を説明する。ＭＭＩ部６は、利用者からの設定インタフェースや、利用者への動作結果表示等を行うものである。モード管理部７は、後述する反映元モード、反映先モード、探索モード、といった動作モードを司るものである。探索条件判定処理部８は、他端末から届いた探索メッセージ内の探索条件に自端末の設定情報が合致するかどうかを判定するものである。
【００１５】
また、探索条件編集処理部９は、自端末に反映すべき他端末の探索にあたり、自端末の利用環境やニーズを設定した探索条件を編集するものである。設定情報比較処理部１０は、他端末から得た設定情報と自端末の設定情報とを比較して、差分を抽出するものである。設定情報送受信処理部１１は、他端末と自端末との間で設定情報をアドホック通信部等を使ってやりとりする処理を制御するものである。
【００１６】
通信部３における各機能を説明する。携帯電話通信部１２は、ＰＤＣ（Ｐｅｒｓｏｎａｌ  Ｄｉｇｉｔａｌ  Ｃｅｌｌｕｌａｒ）やＷ−ＣＤＭＡ（Ｗｉｄｅｂａｎｄ−Ｃｏｄｅ  Ｄｉｖｉｓｉｏｎ  Ｍｕｔｉｐｌｅ  Ａｃｃｅｓｓ）等による通信機能を有するものである。無線ＬＡＮ通信部１３は、ＩＥＥＥ８０２．１１系の通信機能を有するものである。アドホック通信部１４は、ブルートゥース（Ｂｌｕｅｔｏｏｔｈ）（登録商標）や赤外線（ＩｒＤＡ）やＺｉｇｂｅｅ等を使った近距離通信機能を有するものである。
【００１７】
更に、自端末設定情報Ｉ／Ｏ処理部４は、設定情報格納部５に格納された設定情報を読出したり書込んだりする処理を司るものであり、設定情報格納部５は、設定情報を格納するものである。
【００１８】
次に、図２のフローチャートを参照して本実施の形態の動作について詳細に説明する。図２は、最適解を設定済の端末側が起点となって、他の端末へ設定情報を反映させる場合のフローチャートである。まず、反映元端末操作者は、反映元端末に対し設定ＭＭＩの起動指示を行う（ステップＳ１９）。
【００１９】
この場合の設定情報とは、前述した様に、ＩＰ系の設定情報やベアラ間ローミングに関する設定情報などであり、具体的には、セキュリティ関係では、認証方式や暗号化方式などの情報であり、ハンドオーバ関係では、選択ベアラ及びその優先度（待受時／通信時）、切替え時の複数ベアラ同時接続時間（make-before-break 時間）、切替えを判断する電波受信強度閾値などの情報である。また、省電力関係としては、最大スリープ時間、ウェークアップ間隔、ブロードキャスト・パケット非受信（モード）などの情報である。
【００２０】
その結果、反映元端末は反映元端末操作者にモード設定を促すＭＭＩ画面を表示する（ステップＳ８）。反映元端末操作者は、「通常モード」から「反映元モード」への遷移を反映元端末に指示する（ステップＳ２０）。反映元端末は、反映元モードへ遷移し（ステップＳ９）、その後、さらに反映先端末を指定するＭＭＩ画面を表示する（ステップＳ１０）。反映元端末操作者は、使用するアドホック通信の送信先指定方法に則って、反映先端末を反映元端末へ指定する（ステップＳ２１）。
【００２１】
この場合における反映先端末の指定方法としては、反映元ユーザが専門的知識を有する有識者や保守者であり、反映先ユーザが携帯通信端末の一般的利用者（否有識者や否保守者）であり、反映元ユーザが反映先ユーザに対して口答などによる設定調整の個別要請を行う方法による。また他の方法として、反映元ユーザ（有識者や保守者）が、管理ポリシーや通信環境の変化や変更をトリガ（契機）として利用している部門やフロア内の各携帯通信端末に再設定の要求をなす方法がある。
【００２２】
その場合に、反映元ユーザの目前に反映先ユーザが自分の端末を持って向き合って、アドホック通信を行うことにより実現する。なお、このアドホック通信はその通信可能距離が数ｍの範囲である。
【００２３】
反映元端末は、指定された反映先端末に対し、「反映先モード」への遷移要求を送信する（ステップＳ１１）。反映先端末は、自端末において、反映先モードへ遷移したことをＭＭＩ画面に表示し（ステップＳ１）、その後反映先モードへの遷移完了通知を反映元端末に返答する（ステップＳ２）。反映元端末は、反映先端末が反映先モードに遷移したことをＭＭＩ画面に表示する（ステップＳ１２）。
【００２４】
反映元端末操作者は、事前に反映先設定情報を参照したい場合は、反映元端末に対し、反映先設定情報をモニタ（取得）するよう指示する（ステップＳ２２）。反映元端末は、設定情報送信要求を設定先端末に送信する（ステップＳ１３）。その結果、反映先端末は、設定情報を反映元端末に送信する（ステップＳ３）。反映元端末は、自端末の設定情報格納部から設定情報を読み出し（ステップＳ１４）、受信した反映先端末の設定情報と比較でき、差分を明示できる形でＭＭＩ画面に表示する（ステップＳ１５）。
【００２５】
反映元端末操作者は、ＭＭＩ画面を参照しながら反映すべき自端末の設定情報を取捨選択し（ステップＳ２３）、反映先端末への反映を反映元端末に指示する（ステップＳ２４）。反映元端末は、反映する設定情報を反映先端末に送信する（ステップＳ１６）。反映先端末は、受信した設定情報を自端末の設定情報格納部へ反映し（ステップＳ４）、反映完了の旨をＭＭＩ画面に表示し（ステップＳ５）、反映完了通知を反映元端末へ通知し（ステップＳ６）、通常モードへと遷移して（ステップＳ７）処理を終了する。反映完了通知を受信した反映元端末は、反映完了の旨をＭＭＩ画面に表示し（ステップＳ１７）、通常モードへ遷移して（ステップＳ１８）処理を終了する。
【００２６】
図３は、自端末にとって最適な反映元とすべき端末がどの端末なのかが不明な場合、その探索から実施する場合の例である。まず、探索元端末操作者は、探索元端末に対し、設定ＭＭＩの起動を指示する（ステップＳ５１）。探索元端末は、探索元端末操作者に対し、モード設定を促すＭＭＩ画面を表示する（ステップＳ３７）。探索元端末操作者は、探索元端末に対し、「探索モード」を指定する（ステップＳ５２）。探索元端末は、探索モードへ遷移し、探索元端末操作者に対し、探索条件の指定を促すＭＭＩ画面を表示する（ステップＳ３８）。探索元端末操作者は、探索元端末に対し、探索条件と（ステップＳ５３）、探索の実行を指示する（ステップＳ５４）。
【００２７】
この場合の探索条件の指定方法は、屋内利用優先vs（対）屋外利用優先、音質優先vs費用低減優先等の実際の利用パターンに則った選択肢を用意し、使用するベアラ、認証方式、暗号化方式等の具体的な専門用語を隠蔽した形のメニュー形式にすることで、自端末により適する反映元端末を、専門家でなくとも誤らずに漏れなく設定することが可能となる。
【００２８】
探索元端末は、アドホック通信で通信可能な端末全てに対し、探索条件情報付きの探索メッセージをブロードキャストする（ステップＳ３９）。探索メッセージを受信できた端末は、指定された探索条件に自端末が合致しているか否かを含む探索返答メッセージを探索元端末に返送する（ステップＳ３１）。探索元端末は、受信した探索返答メッセージを解析し条件合致しているかどうか／合致しているものがあるかを判定する（ステップＳ４０）。もし条件合致しているものが無かった場合、予め指定されたタイムアウト時間の間（ステップＳ４８）、前述のステップＳ３９、４０を繰り返し、もしタイムアウトした場合は、探索元端末操作者に対し発見ＮＧの通知を行い（ステップＳ４９）、通常モードへ遷移して（ステップＳ５０）、処理を終了する。
【００２９】
一方、もしステップＳ４０で条件合致の端末が発見できた場合は（複数あった場合は早いもの等、予め決めておいたロジックに従い１つだけ選択して）、当該端末に対し、「反映元モード」への遷移要求を送信する（ステップＳ４１）。反映元となった端末は、自端末を反映元モードに遷移し、その旨をＭＭＩ画面に表示し（ステップＳ３２）、探索元端末に対し、反映元モードへ遷移した旨を返答する（ステップＳ３３）。その結果、探索元端末は、発見報告をＭＭＩ画面に表示し、その後の指示を探索元端末操作者に促す（ステップＳ４２）。
【００３０】
探索元端末操作者は、ステップＳ４９、ステップＳ４２のいずれかの結果が表示されている探索元端末のＭＭＩ画面を見て発見有無を確認し、もし発見できなかった場合は、一連の操作を終了し、そうでない場合は、見つかった端末の設定情報のモニタ（取得）を探索元端末に指示する（ステップＳ５６）。探索元端末は、設定情報の送信要求を、見つかった端末に対し送信する（ステップＳ４３）。見つかった端末は自端末の設定情報を探索元端末に送信する（ステップＳ３４）。
【００３１】
探索元端末は、設定情報を自端末に反映し（ステップＳ４４）、反映完了の旨ＭＭＩ画面に表示すると共に（ステップＳ４５）、反映完了通知を見つかった端末へも送信し（ステップＳ４６）、自端末を通常モードへと遷移して（ステップＳ４７）処理を終了する。また、見つかった端末は、探索元端末からの反映完了通知を受信すると、反映完了の旨を自端末のＭＭＩ画面に表示の上（ステップＳ３５）、通常モードへと遷移して（ステップＳ３６）処理を終了する。
【００３２】
本発明では、Ｂｌｕｅｔｏｏｔｈ（登録商標）や赤外線（ＩｒＤＡ）やＺｉｇｂｅｅ等をアドホック通信手段として説明しているが、無線ＬＡＮ自体のアドホック通信機能を利用することもできる。
【００３３】
なお、上述した図２、図３の動作フローは、予めその動作手順をプログラムとしてＲＯＭなどの記録媒体に格納しておき、これをコンピュータにより読取って順次実行する様構成できることは明白である。
【符号の説明】
【００３４】
１  携帯通信端末
２  アプリケーション部
３  通信部
４  自端末設定情報Ｉ／Ｏ処理部
５  設定情報格納部
６  ＭＭＩ部
７  モード管理部
８  探索条件判定処理部
９  探索条件編集処理部
１０  設定情報比較処理部
１１  設定情報送受信処理部
１２  携帯電話通信部
１３  無線ＬＡＮ通信部
１４  アドホック通信部
【図１】
2011254492.tif 000003
【図２】
2011254492.tif 000004
【図３】
2011254492.tif 000005